(57)【要約】      （修正有）【課題】カットされたテープが巻きとらない簡易な構造のテープ保持部材を提供すること。【解決手段】円筒部を有するテープホルダーの一部が遠心方向に延出し、前記延出する部分の端部にテープ１３ａの切断刃１４が設けられているテープカッター１０において、前テープの引出し部に前テープを表裏面から挟む軟質のテープ保持部材５０であるテープカッターのテープを用いる。上記テープ保持部材と、円筒部を有するテープホルダーと、前記テープホルダーの一部が遠心方向に延出した延出部分２１の端部に設けられた切断刃と、前記延出部分に設けられた前記テープ保持部材を固定する固定具と、を有するテープカッターを用いる。【選択図】図２
2018188301.tif 000002
【特許請求の範囲】
【請求項１】
円筒部を有するハンドテープカッタ本体の一部が遠心方向に延出し、延出部分の端部にテープの切断用の刃が設けられているテープカッターにおいて、
前記テープの引出し部で、前記テープを表裏面から挟む軟質のテープ保持部材。
【請求項２】
前記テープ保持部材の前記テープと接触し得る部分に、舌片が設けられ、前記舌片には凹部が形成されている請求項１記載のテープカッターのテープ保持部材。
【請求項３】
前記テープ保持部材は、前記テープカッターに着脱可能に配置される請求項１または２に記載のテープ保持部材。
【請求項４】
前記テープ保持部材は、輪状であり、前記延出部分の凹部、または、凸部に固定される請求項１から３のいずれか１項に記載のテープ保持部材。
【請求項５】
前記テープ保持部材は、前記テープと接触する部分に、表面に凹凸を有する請求項１から４のいずれか１項に記載のテープ保持部材。
【請求項６】
前記テープ保持部材には、前記テープと接触する部分に、凹部がある請求項１から５のいずれか１項に記載のテープ保持部材。
【請求項７】
前記テープ保持部材には、前記テープと接触する部分に、凸部がある請求項１から６のいずれか１項に記載のテープ保持部材。
【請求項８】
前記テープ保持部材は、長方形形状、または、楕円形状である請求項１から７のいずれか１項に記載のテープ保持部材。
【請求項９】
前記テープ保持部材と組み合わされる、前記延出部分に脱着可能な留め具を有する請求項１から７のいずれか１項に記載のテープ保持部材。
【請求項１０】
前記テープ保持部材は、第１テープ保持部材と第２テープ保持部材との複数の部材からなる請求項１から７のいずれか１項に記載のテープ保持部材。
【請求項１１】
前記第１テープ保持部材と第２テープ保持部材とで前記テープが制御される請求項１から８のいずれか１項に記載のテープ保持部材。
【請求項１２】
前記第１テープ保持部材と第２テープ保持部材とは１枚のテープ保持部材である請求項８または９記載のテープ保持部材。
【請求項１３】
前記第１テープ保持部材と第２テープ保持部材のそれぞれには、前記テープと接する部分に凹部がある請求項８〜１０のいずれか１項に記載のテープ保持部材。
【請求項１４】
請求項１〜１３のいずれか１項に記載のテープ保持部材と、
円筒部を有するハンドテープカッタ本体と、
前記ハンドテープカッタ本体の一部が遠心方向に延出した延出部分の端部に設けられたテープ切断用の刃と、
前記延出部分に設けられた前記テープ保持部材を固定する固定具と、を有するテープカッター。
【請求項１５】
請求項１〜１３のいずれか１項に記載のテープ保持部材と、
円筒部を有するテープホルダーと、
前記テープホルダーの一部が遠心方向に延出した延出部分の端部に設けられた切断刃と、を含み
前記円筒部は分離可能で、分離部分の開閉部を固定する固定具を有するテープカッター。
【発明の詳細な説明】
【技術分野】
【０００１】本発明は、テープ保持部材とそれを用いたテープカッターに関する。
【背景技術】
【０００２】  従来からハンドテープカッターがあった。図１（ａ）と図１（ｂ）で、従来のハンドテープカッターを説明する（特許文献１）。図１（ａ）は、従来のハンドテープカッターで被対象物１７にテープ１３ａを貼っているところの側面図である。図１（ｂ）は、図１（ａ）の断面図である。図１（ｃ）は、図１（ｂ）の状態の後の状態での断面図である。【０００３】  従来のハンドテープカッターでは、テープ本体１３ｂをテープ保持部１５で保持する。テープ１３ａは、第１ローラ１１と第２ローラ１２との間を通り、被対象物１７へ付けられる。そして、刃１４でテープ１３ａはカットされる。第１ローラ１１が回転して、テープ１３ａを被対象物１７に固定する。第２ローラ１２は、テープ１３ａが、ハンドテープカッタ本体１６へ入り込まないようにしている。
【先行技術文献】
【特許文献】
【０００４】
【特許文献１】特開２００４−３３８７９６号公報
【発明の概要】
【発明が解決しようとする課題】  しかし、特許文献１記載のテープ保持部材では、２つのローラを有する複雑な構造のハンドテープカッターである。テープ１３ａのカット後のテープ１３ａが時折、ハンドテープカッター本体１３ｂへ巻き戻ってしまうことがあった。再度、テープ１３ａを取り出すには時間と手間がかかった。
そこで、本願の発明では、テープ１３ａがハンドテープカッター本体１３ｂへ巻き戻らない構造のテープ保持部材とそれを用いたテープカッターを提供することを課題とする。
【課題を解決するための手段】
【０００５】  上記課題を解決するために、円筒部を有するテープホルダーの一部が遠心方向に延出し、上記延出する部分の端部にテープの切断刃が設けられているテープカッターにおいて、前テープの引出し部に前テープを表裏面から挟む軟質のテープ保持部材であるテープカッターのテープを用いる。【０００６】  上記テープ保持部材と、円筒部を有するテープホルダーと、上記テープホルダーの一部が遠心方向に延出した延出部分の端部に設けられた切断刃と、上記延出部分に設けられた上記テープ保持部材を固定する固定具と、を有するテープカッターを用いる。
さらに、上記テープ保持部材と、円筒部を有するテープホルダーと、上記テープホルダーの一部が遠心方向に延出した延出部分の端部に設けられた切断刃と、を含み上記円筒部は分離可能で、分離部分の開閉部を固定する固定具を有するテープカッターを用いる。
【発明の効果】
【０００７】  本願発明のテープ保持部材とそれを用いたテープカッターは、簡単な構造であるが、テープがテープカッター本体に戻らず、連続してテープがはれる。
【図面の簡単な説明】
【０００８】
【図１】（ａ）従来のテープ保持部材で被対象物にテープを貼っているところの側面図、（ｂ）（ａ）の断面図、（ｃ）（ｂ）の状態の後の状態での断面図
【図２】（ａ）実施の形態１のテープ保持部材で被対象物にテープを張り付けている状態を示す断面図、（ｂ）（ａ）の後の状態を示す断面図、（ｃ）実施の形態１のテープ保持部材の刃付近を示す平面図
【図３】（ａ）実施の形態２のテープ保持部材の断面図、（ｂ）実施の形態２のテープ保持部材の刃の部分の平面図
【図４】（ａ）実施の形態３のテープ保持部材の断面図、（ｂ）実施の形態３のテープ保持部材の刃の部分の平面図
【図５】（ａ）実施の形態４のテープ保持部材の側面図、（ｂ）実施の形態４のテープ保持部材の展開図、（ｃ）〜（ｄ）実施の形態４のテープ保持部材の斜視図
【図６】（ａ）実施の形態５のテープ保持部材の斜視図、（ｂ）実施の形態５のテープ保持部材の斜視図、（ｃ）実施の形態５のテープ保持部材の部分表面図、（ｄ）実施の形態５のテープ保持部材の斜視図
【図７】（ａ）実施の形態５のテープ保持部材の平面図、（ｂ）実施の形態５のテープ保持部材の刃部分の側面拡大図、（ｃ）〜（ｅ）実施の形態５のテープ保持部材の平面図
【図８】（ａ）実施の形態６のテープ保持部材の平面図、（ｂ）〜（ｄ）実施の形態６のテープ保持部材の部分拡大図，（ｅ）〜（ｆ）実施の形態６ハンドテープカッタの延出部分の側面図
【図９】（ａ）〜（ｄ）実施の形態７のテープ保持部材の平面図、（ｅ）〜（ｈ）実施の形態７のテープ保持部材をテープカッターに取り付けた正面図
【図１０】実施の形態８のテープ保持部材の斜視図
【図１１】実施の形態９のハンドテープカッタ本体の斜視図
【図１２】（ａ）実施の形態１０のハンドテープカッタ本体の斜視図、（ｂ）〜（ｃ）実施の形態１０の留め具の例を示す平面図
【図１３】（ａ）実施の形態１１の延出部分とハンドテープカッタ本体のみの斜視図、（ｂ）〜（ｄ）実施の形態１１でハンドテープカッタ本体にテープ本体をセットすることを説明する平面図、（ｅ）〜（ｇ）実施の形態１１で第１本体と第２本体との接合を説明する断面図
【図１４】（ａ）〜（ｂ）実施の形態１２のテープ保持部材、第１テープ保持部材、第２テープ保持部材の平面図
【発明を実施するための形態】
【０００９】（実施の形態１）
実施の形態１のハンドテープカッタ１０を、図２（ａ）〜図２（ｃ）で説明する。図２（ａ）は、実施の形態１のハンドテープカッタ１０で被対象物１７にテープ１３ａを張り付けている状態を示す断面図である。図２（ｂ）は図２（ａ）の後の状態を示す断面図である。図２（ｃ）は、ハンドテープカッタ１０の刃１４（カット部）付近を示す平面図である。図２（ｃ）では、理解しやすいように、空間以外は、模様をいれている。
【００１０】＜構造＞
実施の形態１のハンドテープカッタ１０は、ハンドテープカッタ本体１６とテープ保持部１５と、刃１４（カット部）と、テープ保持部材５０からなる。
テープ保持部１５は、テープ本体１３ｂを保持する部分である。テープ本体１３ｂが、テープ保持部１５の周辺で回転する。テープ１３ａは、一方面に粘着剤が付着され、他方面には粘着剤はない。この一方面が、主に、テープ保持部材５０に触れる。
【００１１】  刃１４（カット部）は、テープ１３ａをカットするものである。金属の薄板で作製される。円筒部を有するハンドテープカッタ本体１６の一部が遠心方向に延出した延出部分２１の端部にテープの切断の刃１４が設けられている。
テープ保持部材５０は、刃１４（カット部）でカットされたテープ１３ａが、ハンドテープカッタ本体１６へ入り込まないようにするものである。テープ１３ａの引出し部にテープ１３ａを表裏面から挟む軟質のテープ保持部材５０が設けられている。テープ保持部材５０は、リング状、輪状のもので、テープ１３ａの粘着材が付着した一面、および、その側を囲む。テープ保持部材５０は、刃１４とともにテープ１３ａを囲む。テープ保持部材５０は、弾性体である。好ましくは、非粘着性のもの、シリコン系の非粘着材料でできている。
【００１２】＜使用＞
図２（ａ）でテープ１３ａを被対象物１７へ貼り付ける。その後、刃１４でテープ１３ａをカットすると図２（ｂ）となる。テープ１３ａは、テープ保持部材５０で制御され、ハンドテープカッタ本体１６へ、ひきこまれなく、繰り返して利用できる。
【００１３】  本願の実施の形態の基本は、テープ保持部材５０で、テープ１３ａをガイドする。テープの粘着面とテープの側面とで、テープ保持部材５０で囲む。このテープ保持部材５０と刃１４とでテープ１３ａの全周を囲む。このことで、テープ１３ａがカットされた後のテープ１３ａを制御でき、テープ１３ａがテープ本体１３ｂへ巻き戻ってしまうことがない。
【００１４】（実施の形態２）
図３（ａ）と図３（ｂ）で、実施の形態２を説明する。図３（ａ）は、実施の形態２のハンドテープカッタ２０の断面図である。図３（ｂ）は、ハンドテープカッタ２０の刃１４（カット部）の部分の平面図である。理解しやすいように、空間以外は、模様をいれている。説明しない事項は、実施の形態１と同様である。
【００１５】  実施の形態１との相違点は、テープ保持部材５０が２つあることである。１つは、第１テープ保持部材５０ａ、もう１つは、第２テープ保持部材５０ｂである。図３（ｂ）でわかるように、２つのリング状、輪状の第１テープ保持部材５０ａ、第２テープ保持部材５０ｂが配置されている。２つのテープ保持部材５０間にテープ１３ａが通過する。
【００１６】  テープ保持部材５０が２種類あり、テープ１３ａの両面を挟む。テープ１３ａの軌道を安定化し、巻き込み防止、使い勝手を良くする。
（実施の形態３）
図４（ａ）と図４（ｂ）で、実施の形態３を説明する。図４（ａ）は、実施の形態３のハンドテープカッタ３０の断面図である。図４（ｂ）は、ハンドテープカッタ３０の刃１４（カット部）の部分の平面図である。理解しやすいように、空間以外は、模様をいれている。説明しない事項は、実施の形態１、２と同様である。
【００１７】  実施の形態２との相違点は、テープ保持部材５０の１つにベロ、突起、凸部４１あることである。図４（ｂ）でわかるように、２つのリング状、輪状の第１テープ保持部材５０ａ、第２テープ保持部材５０ｂの内、テープ１３ａの粘着面側の第１テープ保持部材５０ａに凸部４１が配置されている。
【００１８】  テープ保持部材５０の２つ内、テープの粘着面側の第１テープ保持部材５０ａに凸部４１を設ける。この凸部４１に、切れた後のテープ１３ａが付着し、テープ１３ａの軌道が安定化する。テープ１３ａの巻き込み防止、使い勝手を良くする。
（実施の形態４）
図５（ａ）〜図５（ｄ）で、実施の形態４を説明する。図５（ａ）は、実施の形態４のハンドテープカッタ４０の側面図である。図５（ｂ）は、ハンドテープカッタ４０の展開図である。図５（ｂ）は、ハンドテープカッタ４０の展開図である。説明しない事項は、実施の形態１〜３と同様である。
【００１９】  実施の形態１〜３との相違点は、（１）凹部５１がハンドテープカッタ本体１６にあること、（２）ハンドテープカッタ４０は組み立て式であること、（３）第１テープ保持部材５０ａと第２テープ保持部材とは、別体であることである。
（１）凹部５１がハンドテープカッタ本体１６にあること。テープ保持部材５０を別体とした時、テープ保持部材５０をハンドテープカッタ本体１６に固定するため、凹部５１を設けている。凹部５１の代わりに凸部、凹凸でもよい。実施の形態４の組み立て式のハンドテープカッタ４０以外の上記実施の形態のテープ保持部材にも応用できる。
【００２０】（２）ハンドテープカッタ４０は組み立て式であること。テープ本体１３ｂに、その上方から、ハンドテープカッタ４０を取り付けることができる。図５（ｂ）のハンドテープカッタ４０の展開図を折りたたむと、図５（ａ）に示すように、ハンドテープカッタ４０がテープ本体に付けることができる。
【００２１】（３）テープ保持部材５０は、別体であること。図５（ｃ）に示すテープ保持部材５０は別体、輪状の独立体として、ハンドテープカッタ本体１６に取り付けるようにできる。（１）の凹部５１にセットできることが好ましい。このテープ保持部材５０を固定する目的の突起５２が、図５（ｂ）のようにあるとさらによい。
【００２２】  さらに図５（ｄ）にように、１つの輪状体をねじって２つの輪状にして用いてもよい。
テープ保持部材５０は、部品として、ハンドテープカッタ４０に、取り付けできる。図５（ａ）、図５（ｂ）のように、ハンドテープカッタ本体１６に凹部５１を設けると固定しやすい。突起５２でもよい。図５（ｃ）のように、テープ保持部材５０は、２つのリング状でもよい。図５（ｄ）のように、テープ保持部材５０は、１つのリングをネジって２つにしてもよい。
【００２３】（実施の形態５）
図６（ａ）〜図６（ｄ）で、実施の形態５を説明する。図６（ａ）は、実施の形態５のハンドテープカッタ８０の斜視図である。図６（ｂ）は、ハンドテープカッタ８０のテープ保持部材５０の斜視図である。図６（ｃ）は、テープ保持部材５０の部分平面図である。説明しない事項は、実施の形態１から４と同様である。
【００２４】  実施の形態１〜４との相違点は、テープ保持部材５０の表面に凹凸である点である。より、テープ１３ａが、テープ保持部材５０に付着せず、使用しやすい。
さらに、図６（ｄ）に示すように、テープ保持部材５０の端面に凹部５５があるとさらによい。この凹部５５を使用して、次のテープ１３ａを取り出しやすい。凹部５５は、テープ保持部材の一方、テープ１３ａの粘着性のある面の方に位置するテープ保持部材５０にあるとよい。
【００２５】  テープ保持部材５０は、シリコンなど、テープに非粘着であるが、さらに、表面に凹凸などを設けて、非粘着性を出すとよい。
図７（ａ）から図７（ｅ）に別の形態を示す。図７（ａ）は、実施の形態５のテープ保持部材の平面図、図７（ｂ）は、実施の形態５の別の実施の形態のテープ保持部材の刃部分の側面拡大図である。
【００２６】  図７（ａ）〜図７（ｂ）のように、ハンドテープカッタ本体１６の刃１４の近傍の延出部分２１に、テープ保持部材５０を２つはめ込む。２つのテープ保持部材５０の間からテープ１３ａを外部へ出す。出したテープ１３ａを、刃１４でカットする。２つに限定されず、１つのテープ保持部材５０を、折り返し、その後、その間にテープ１３ａを通す２つの部分を形成してもよい。
【００２７】  図７（ｃ）〜図７（ｅ）は、実施の形態５のテープ保持部材の平面図である。
テープ保持部材５０は、シート状である。シリコンゴムなどからなる。
このテープ保持部材５０には開口５６があり、ハンドテープカッタ本体１６にこの開口５６を介して延出部分２１にはめ込まれる。図７（ｃ）で、テープ保持部材５０はシート状である。図７（ｄ）、図７（ｅ）では、ライン状で、開口５７があり、ハンドテープカッタ本体１６の突起部２２ａにこの開口５７を介して、テープ保持部材５０を固定できる。また、テープ保持部材５０に開口２２ｃを設け、突起部２２ｂに固定することもできる。突起部２２ａは、延出部分２１の上側、テープ１３ａの被粘着面側、突起部２２ｂは突出部２２ｂの下側、テープ１３ａの粘着剤側である。図７（ｅ）は輪状である。
【００２８】  図７（ｃ）では、テープ保持部材５０に凹部５５を設ける。凹部５５の役割は、テープ１３ａを手でつかむ為の凹みである。また、凹部５５のあるテープ保持部材５０と無いテープ保持部材５０との組み合わせでもよい。
（実施の形態６）
図８（ａ）〜図８（ｆ）は、実施の形態６を示す。説明しない事項を実施の形態１〜５と同様である。
【００２９】  図８（ａ）は、テープカッター９０の斜視図である。第１テープ保持部材５０ａ、第２テープ保持部材５０ｂは、上下に開くのが好ましい。この間のテープ出口８１からテープ１３ａが外部へでてくる。
図８（ｂ）〜図８（ｄ）は、第１テープ保持部材５０ａ、第２テープ保持部材５０ｂのいろいろな組み合わせの例示である。
【００３０】図８（ｂ）では、第１テープ保持部材５０ａがライン状で、第２テープ保持部材５０ｂが舌状、舌片の凸部５８を有し、凸部５８に開口を有する。
図８（ｃ）では、第１テープ保持部材５０ａがライン状で、第２テープ保持部材５０ｂが凹部５５を有する。
【００３１】図８（ｄ）では、第１テープ保持部材５０ａが凸部５８を有し、第２テープ保持部材５０ｂが凹部５５を有する。
図８（ｅ）、図８（ｆ）は、第１テープ保持部材５０ａ、第２テープ保持部材５０ｂをハンドテープカッタ本体１６の延出部分２１にはめ込んだ時の側面図である。図８（ｅ）はテープ１３ａをカットする前、図８（ｆ）は、テープ１３ａをカットした後である。
【００３２】  第１テープ保持部材５０ａ、第２テープ保持部材５０ｂとでテープ１３ａを制御する。第２テープ保持部材５０ｂに凸部５８または凹部５５があると好ましい。その部分にテープ１３ａが付着し、仮固定できる。
（実施の形態７）
図９（ａ）〜図９（ｈ）は、実施の形態７を示す。説明しない事項を実施の形態１〜６と同様である。
【００３３】この例では、第１テープ保持部材５０ａ、第２テープ保持部材５０ｂと、が１つのテープ保持部材６０のシートから形成されている。
図９（ａ）は、テープ保持部材６０の平面図であり、図９（ｅ）は、テープ保持部材６０をハンドテープカッタ本体１６の延出部分２１に取り付けた正面図である。第１開口５６ａが延出部分２１へはめ込まれる。カット部５９で、第１テープ保持部６０ａ、と第２テープ保持部６０ｂとが分けられている。第２開口５６ｂからテープ１３ａが外部へ出される。第１テープ保持部６０ａと第２テープ保持部６０ｂとでテープ１３ａを制御する。
【００３４】  図９（ｂ）〜図９（ｄ）は、テープ保持部材６０の平面図の例であり、図９（ｆ）〜図９（ｈ）は、それぞれを、それらのハンドテープカッタ本体１６の延出部分２１に取り付けた正面図である。
図９（ｂ）、図９（ｆ）では、三カ月状の第２開口５６ｂにより、凸状の第１テープ保持部６０ａ、凹部状の第２テープ保持部６０ｂが形成される。凹凸でテープ１３ａを制御できる。
【００３５】  図９（ｃ）、図９（ｇ）では、テープ保持部材６０とは別に、第１テープ保持部６０ａを有する補助部材６５を有する。円盤状の補助部材６５と第２テープ保持部」６０ｂとでテープ１３ａを制御する。
図９（ｄ）、図９（ｈ）では、第２テープ保持部６０ｂが、扉状に開くタイプである。
【００３６】  いずれの形式でも１つのテープ保持部材６０を中心に構成できる。
（実施の形態８）
図１０は、実施の形態８のハンドテープカッタ本体１６の斜視図である。実施の形態８では、固定部７０が設けられている。説明しない事項は、実施の形態１〜７と同様である。
【００３７】第１テープ保持部材５０ａ、第２テープ保持部材５０ｂをワンタッチでハンドテープカッタ本体１６に取付、取り外しができるように、固定部７０が設けられている。
固定部７０と、第１テープ保持部材５０ａと第２テープ保持部材５０ｂとには、ボタンとボタン受け、凹部と凸部、開口と突起などのように、取り外しできる１組がもうけられている。
【００３８】固定部７０は、延出部分２１の側面２箇所に設けるのが好ましい。ただし、図７（ｂ）で示したように、延出部分２１の上面１箇所でもよい。
（実施の形態９）
図１１は、実施の形態９のハンドテープカッタ本体１６の斜視図である。実施の形態９では、第１テープ保持部材５０ａと第２テープ保持部材５０ｂとに凹部５５がそれぞれ設けられている。説明しない事項は、実施の形態１〜７と同様である。
【００３９】  この凹部５５を介して人はテープ１３ａをひっぱりだすことができる。２つの凹部５５は、第１テープ保持部材５０ａと第２テープ保持部材５０ｂとが重なった時に同等の位置に配置されている。
テープ１３ａは、第１テープ保持部材５０ａと第２テープ保持部材５０ｂとの間から外部へ出てくる。第１テープ保持部材５０ａと第２テープ保持部材５０ｂとは上方、刃１４の方向に向いている。刃１４で切れたテープ１３ａがテープ本体１３ｂへもどりにくいようにそうしている。
【００４０】（実施の形態１０）
図１２（ａ）は、実施の形態１０のハンドテープカッタ本体１６の斜視図である。実施の形態１０では、留め具３１を用いている。説明しない事項は、実施の形態１〜９と同様である。
【００４１】  この留め具３１は、を延出部分２１に固定するために用いられる部品である。
つまり、延出部分２１上面に、留め具３１を配置する。留め具３１の両端部の掛部３１ａに、第１テープ保持部材５０ａ、第２テープ保持部材５０ｂの端部を引っかけることで、第１テープ保持部材５０ａ、第２テープ保持部材５０ｂを延出部分２１に固定する。
【００４２】  留め具３１は、別途、固定部３１ｂを延出部分２１に入れ込んで固定される。
図１２（ｂ）、図１２（ｃ）は、留め具３１の例である。樹脂性のシートを用いて図１２（ｂ）の形状のものを作製する。このシートを点線の部分で折り曲げると、図１２（ｃ）となる。
【００４３】  折り曲げて作製する理由は、安価なシートを用い、強度のアップができるためである。
なお、樹脂成形などで、図１２（ｃ）を作製してもよい。
留め具３１は上記に限定されず、棒状のものでもよい。延出部分２１より両方に突出している部分があれば、突出部分に、第１テープ保持部材５０ａ、第２テープ保持部材５０ｂを引っ掛けることができる。
【００４４】（実施の形態１１）
図１３（ａ）は、実施の形態１１の延出部分２１とハンドテープカッタ本体１６のみ斜視図である。テープ本体を含まない。実施の形態１１では、ハンドテープカッタ本体１６自体に関するものである。記載しない事項は上記実施の形態と同様である。
【００４５】  図１３（ａ）は、ハンドテープカッタ本体１６の斜視図である。ハンドテープカッタ本体１６は、第１本体１６ａ、第２本体１６ｂを含み、空間１６ｆを有する。
図１３（ｂ）〜図１３（ｄ）は、ハンドテープカッタ本体１６にテープ本体１３ｂをセットすることを説明する平面図である。ハンドテープカッタ本体１６は樹脂製である程度変形できる。第１本体１６ａと第２本体１６ｂとを開き分離し、開いた場所にテープ本体１３ｂを入れ込む。その後、第１本体１６ａと第２本体１６ｂとを合わせる。テープ本体１３ｂのテープが無くなった場合、この方式で交換が必要である。
【００４６】  図１３（ｅ）〜図１３（ｅ）は、第１本体１６ａと第２本体１６ｂとの開閉部を説明する断面図である。第１本体１６ａと第２本体１６ｂとは、凹部１６ｃと凸部１６ｄとで勘合、つまり、開閉している。
さらに、上記実施の形態１〜１０の実施の形態では、テープ保持部材６０、第１テープ保持部６０ａ、第２テープ保持部６０ｂの動作により、ハンドテープカッタ本体１６に振動など伝わる。このため、図１３（ｇ）に示すように、勘合部分に固定具１６ｅでさらに、しっかり固定する。
【００４７】（実施の形態１２）
図１４（ａ）、図１４（ｂ）は、実施の形態１２の５０  テープ保持部材５０、第１テープ保持部材５０ａ、
第２テープ保持部材５０ｂに関するものである。実施の形態６の変形例である。記載しない事項は上記実施の形態と同様である。
【００４８】図１４（ａ）は、長方形形状で、凹部５５がある。図１４（ｂ）では、楕円形状で、凹部５５ａ、凹部５５が対向してある。凹部５５ａは延出部分２１にはめ込まれるものである。
（なお書き）
上記の実施の形態は組み合わせすることができる。
【産業上の利用可能性】
【００４９】  本願発明のテープ保持部材は、一般家庭だけでなく、業者などでも広く使用される。梱包するだけでなく、各種被対象物にテープを貼ることができる。
【符号の説明】
【００５０】１０  ハンドテープカッタ
１１  ローラ
１２  ローラ
１３ａ  テープ
１３ｂ  ハンドテープカッター本体
１４  刃
１５  テープ保持部
１６  ハンドテープカッタ本体
１６ａ  本体
１６ｂ  本体
１６ｃ  凹部
１６ｄ  凸部
１６ｅ  固定具
１６ｆ  空間
１７  被対象物
２０  ハンドテープカッタ
２１  延出部分
２２ａ、２２ｂ  突起部
２２ｃ  開口
３０  ハンドテープカッタ
３１  留め具
３１ａ  掛部
３１ｂ  固定部
４０  ハンドテープカッタ
４１  凸部
５０  テープ保持部材
５０ａ  第１テープ保持部材
５０ｂ  第２テープ保持部材
５１  凹部
５２  突起
５５  凹部
５６  開口
５６ａ  第１開口
５６ｂ  第２開口
５７  開口
５８  凸部
５９  カット部
６０  テープ保持部材
６０ａ  第１テープ保持部
６０ｂ  第２テープ保持部
６５  補助部材
７０  固定部
８０  ハンドテープカッタ
８１  テープ出口
９０  テープカッター
【図１】
2018188301.tif 000003
【図２】
2018188301.tif 000004
【図３】
2018188301.tif 000005
【図４】
2018188301.tif 000006
【図５】
2018188301.tif 000007
【図６】
2018188301.tif 000008
【図７】
2018188301.tif 000009
【図８】
2018188301.tif 000010
【図９】
2018188301.tif 000011
【図１０】
2018188301.tif 000012
【図１１】
2018188301.tif 000013
【図１２】
2018188301.tif 000014
【図１３】
2018188301.tif 000015
【図１４】
2018188301.tif 000016
【手続補正書】
【提出日】平成29年11月3日(2017.11.3)
【手続補正１】
【補正対象書類名】特許請求の範囲
【補正対象項目名】全文
【補正方法】変更
【補正の内容】
【特許請求の範囲】
【請求項１】
円筒部を有するハンドテープカッタ本体の一部が遠心方向に延出し、延出部分の端部にテープの切断用の刃が設けられているテープカッターにおいて、
非粘着材料でできており、輪状であり、前記延出部分の凹部、または、凸部にはめ込まれ、前記テープの表裏面と、前記延出部分の凹部、または、凸部とに渡って位置するテープ保持部材。
【請求項２】
前記テープ保持部材の前記テープの粘着面と接触し得る部分の中央に、舌片が設けられている請求項１記載のテープ保持部材。
【請求項３】
前記舌部には凹部、又は、開口が形成されている請求項２記載のテープ保持部材。
【請求項４】
前記テープ保持部材は、前記テープの側面と粘着面とを囲む請求項１〜３のいずれか１項に記載のテープ保持部材。
【請求項５】
前記テープの両側面と上下面とを囲む請求項４に記載のテープ保持部材。
【請求項６】
前記テープ保持部材は、ゴムであり、前記テープカッターに着脱可能に配置され、別体であり、前記ハンドテープカッタ本体の凹部、または、凸部に、はめ込まれ、固定される請求項１〜５のいずれか１項に記載のテープ保持部材。
【請求項７】
前記テープ保持部材は、２つの輪状体または１つの輪状体をねじったものである請求項１〜６のいずれか１項に記載のテープ保持部材。
【請求項８】
円筒部を有するハンドテープカッタ本体の一部が遠心方向に延出し、延出部分の端部にテープの切断用の刃が設けられているテープカッターにおいて、
非粘着材料でできており、前記延出部分と、前記テープの表裏面とに渡って位置するテープカッターのテープ保持部材であり、
前記ハンドテープカッタ本体にはめ込まれていない時、前記延出部分にはめ込まれる開口を有するシートであるテープ保持部材。
【請求項９】
前記テープ保持部材は、１枚のシートからなる請求項８に記載のテープ保持部材。
【請求項１０】
前記シートであるテープ保持部材は、前記延出部分にはめ込まれる開口を２つ有する請求項８または９記載のテープ保持部材。
【請求項１１】
円筒部を有するハンドテープカッタ本体の一部が遠心方向に延出し、延出部分の端部にテープの切断用の刃が設けられているテープカッターにおいて、
非粘着材料でできており、前記延出部分と、前記テープの表裏面とに渡って位置するテープカッターのテープ保持部材であり、
前記ハンドテープカッタ本体にはめ込なれていない時、シート状であり、変形させてはめ込まれるテープ保持部材。
【請求項１２】
前記テープ保持部材と組み合わされる、前記延出部分の上部に脱着可能な留め具を配置し、前記留め具の両端の掛部に、端部を引っかける請求項１〜１１のいずれか１項に記載のテープ保持部材。
【請求項１３】
前記留め具はシート状である請求項１２記載のテープ保持部材。
【請求項１４】
請求項１〜１３のいずれか１項に記載のテープ保持部材と、
円筒部を有するハンドテープカッタ本体と、
前記ハンドテープカッタ本体の一部が遠心方向に延出した延出部分の端部に設けられたテープ切断用の刃と、
前記延出部分に設けられた前記テープ保持部材を固定する固定具と、を有するテープカッター。
【請求項１５】
請求項１〜１３のいずれか１項に記載のテープ保持部材と、
円筒部を有するテープホルダーと、
前記テープホルダーの一部が遠心方向に延出した延出部分の端部に設けられた切断刃と、を含み
前記円筒部は分離可能で、分離部分の開閉部を固定する固定具を有するテープカッター。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
円筒部を有するハンドテープカッタ本体の一部が遠心方向に延出し、延出部分の端部にテープの切断用の刃が設けられているテープカッターにおいて、
非粘着材料でできており、輪状であり、前記延出部分にはめ込まれ、前記テープの粘着面と側面とに渡って位置し、前記刃とともに、前記テープを囲むテープ保持部材。
【請求項２】
円筒部を有するハンドテープカッタ本体の一部が遠心方向に延出し、延出部分の端部にテープの切断用の刃が設けられているテープカッターにおいて、
非粘着材料でできており、輪状であり、前記延出部分にはめ込まれ、第１と第２の２つあり、前記第２は、前記テープの粘着面と側面と渡って位置し、前記第１は、前記テープの前記粘着面と異なる面側に位置するテープ保持部材。
【請求項３】
前記第２のテープ保持部材の前記テープの粘着面と接触し得る部分の中央に、舌片が設けられている請求項２記載のテープ保持部材。
【請求項４】
前記舌部には凹部、又は、開口が形成されている請求項３記載のテープ保持部材。
【請求項５】
前記テープ保持部材は、ゴムであり、前記テープカッターに着脱可能に配置され、別体であり、前記ハンドテープカッタ本体の凹部、または、凸部に、はめ込まれ、固定される請求項１〜４のいずれか１項に記載のテープ保持部材。
【請求項６】
前記テープ保持部材は、２つの輪状体または１つの輪状体をねじったものである請求項２〜５のいずれか１項に記載のテープ保持部材。
【請求項７】
円筒部を有するハンドテープカッタ本体の一部が遠心方向に延出し、延出部分の端部にテープの切断用の刃が設けられているテープカッターにおいて、
非粘着材料でできており、前記延出部分にはめ込まれるテープカッターのテープ保持部材であり、
前記テープ保持部材は、第１と第２の２つあり、前記ハンドテープカッタ本体にはめ込まれていない時、前記延出部分にはめ込まれる開口を有するシート、または、ライン状であり、
前記２つのテープ保持部材の前記開口のそれぞれに前記延出部分がはめ込まれ、前記第２は、前記テープの粘着面に位置し、前記第１は、前記テープの前記粘着面と異なる面側に位置するテープ保持部材。
【請求項８】
円筒部を有するハンドテープカッタ本体の一部が遠心方向に延出し、延出部分の端部にテープの切断用の刃が設けられているテープカッターにおいて、
非粘着材料でできており、前記延出部分にはめ込まれるテープカッターのテープ保持部材であり、
前記テープ保持部材は、１枚のシートからなり、前記延出部分にはめ込まれる第１開口と、前記テープが通される第２開口を有するテープ保持部材。
【請求項９】
前記テープ保持部材と組み合わされる、前記延出部分の上部に脱着可能な留め具を配置し、前記留め具の両端の掛部に、端部を引っかける請求項１〜８のいずれか１項に記載のテープ保持部材。
【請求項１０】
前記留め具はシート状である請求項９記載のテープ保持部材。
【請求項１１】
請求項１〜１０のいずれか１項に記載のテープ保持部材と、
円筒部を有するハンドテープカッタ本体と、
前記ハンドテープカッタ本体の一部が遠心方向に延出した延出部分の端部に設けられたテープ切断用の刃と、
前記延出部分に設けられた前記テープ保持部材を固定する固定具と、を有するテープカッター。
【請求項１２】
請求項１〜１０のいずれか１項に記載のテープ保持部材と、
円筒部を有するテープホルダーと、
前記テープホルダーの一部が遠心方向に延出した延出部分の端部に設けられた切断刃と、を含み
前記円筒部は分離可能で、分離部分の開閉部を固定する固定具を有するテープカッター。